(57)【要約】【課題】隣接妨害を受けにくいＦＭラジオチューナーのＩＦ帯域制御システムを提供する。【解決手段】ＦＭ放送の電波を受信するアンテナと、アンテナから希望局の放送信号を受信する希望局受信用ラジオチューナーと、アンテナから希望局の放送信号の周波数と所定の周波数ステップだけ異なる周波数を使用する隣接局の放送信号を受信する隣接妨害検出用ラジオチューナーとを備え、希望局受信用ラジオチューナーは、希望局の放送信号を受信するＩＦ帯域を制御するＩＦ帯域制御部を有し、隣接妨害検出用ラジオチューナーは隣接局変調度検出部と隣接局信号強度検出部とを有し、ＩＦ帯域制御部は、隣接局の放送信号の変調度および信号強度に基づいて隣接局の放送信号による妨害を受けずに希望局の放送信号を受信することが可能なＩＦ帯域を設定することによってＩＦ帯域を制御するＩＦ帯域制御システムを提供する。【選択図】図２
2011114527.tif 000002
【特許請求の範囲】
【請求項１】
ＦＭ放送の電波を受信するアンテナと、
前記アンテナから希望局の放送信号を受信する希望局受信用ラジオチューナーと、
前記アンテナから、前記希望局の放送信号の周波数と所定の周波数ステップだけ異なる周波数を使用する隣接局の放送信号を受信する、少なくとも１つの隣接妨害検出用ラジオチューナーと、を備え、
前記希望局受信用ラジオチューナーは、前記希望局の放送信号を受信するＩＦ帯域を制御するＩＦ帯域制御部を有し、
前記少なくとも１つの隣接妨害検出用ラジオチューナーは、前記隣接局の放送信号の変調度を検出する隣接局変調度検出部と、前記隣接局の放送信号の信号強度を検出する隣接局信号強度検出部とを有し、
前記ＩＦ帯域制御部は、前記隣接局の放送信号の変調度および前記隣接局の放送信号の信号強度に基づいて前記隣接局の放送信号による妨害を受けずに前記希望局の放送信号を受信することが可能なＩＦ帯域を設定することによって前記ＩＦ帯域を制御する、
ことを特徴とする車載用のＦＭラジオチューナーのＩＦ帯域制御システム。
【請求項２】
前記希望局受信用ラジオチューナーは、前記希望局の放送信号の変調度を検出する希望局変調度検出部と、前記希望局の放送信号の信号強度を検出する希望局信号強度検出部とを有し、
前記ＩＦ帯域制御部は、前記希望局の放送信号の変調度が前記隣接局の放送信号の変調度と干渉するＩＦ帯域において、前記希望局の放送信号の信号強度が前記隣接局の放送信号の信号強度以上になるまでＩＦ帯域を狭める、
ことを特徴とする請求項１に記載の車載用のＦＭラジオチューナーのＩＦ帯域制御システム。
【請求項３】
前記ＩＦ帯域制御部は、前記希望局の放送信号の変調度が前記隣接局の放送信号の変調度と干渉するＩＦ帯域において、前記隣接局の放送信号の信号強度が所定の信号強度以下である場合は、前記希望局の放送信号の変調度の全範囲をカバーするＩＦ帯域を設定する、
ことを特徴とする請求項２に記載の車載用のＦＭラジオチューナーのＩＦ帯域制御システム。
【請求項４】
前記希望局受信用ラジオチューナーは、前記希望局の放送信号の高域ノイズ成分を検出する高域ノイズ検出部を有し、
前記ＩＦ帯域制御部は、前記希望局の放送信号の高域ノイズ成分に基づいて前記ＩＦ帯域を制御する、
ことを特徴とする請求項１から請求項３のいずれか一項に記載の車載用のＦＭラジオチューナーのＩＦ帯域制御システム。
【請求項５】
前記ＩＦ帯域制御システムは、前記希望局受信用ラジオチューナーおよび前記少なくとも１つの隣接妨害検出用ラジオチューナーの受信周波数を制御するラジオチューナー制御部をさらに備え、
前記ラジオチューナー制御部は、前記高域ノイズ成分の所定の閾値を超えるか否かに応じて、前記少なくとも１つの隣接妨害検出用ラジオチューナーの電源のオンとオフを制御する、
ことを特徴とする請求項４に記載の車載用のＦＭラジオチューナーのＩＦ帯域制御システム。
【請求項６】
前記所定の周波数ステップは１００ｋＨｚステップであることを特徴とする請求項１から請求項５のいずれか一項に記載の車載用のＦＭラジオチューナーのＩＦ帯域制御システム。
【発明の詳細な説明】
【技術分野】
【０００１】
本発明は、車載用システムとして用いられる、隣接妨害検出用ラジオチューナーを備えるＦＭ（Frequency Modulation）ラジオチューナーのＩＦ（Intermediate
Frequency）帯域制御システムに関する。
【背景技術】
【０００２】
従来のＦＭラジオチューナーを、図１に示す。ＦＭラジオチューナー１は、アンテナ２によって希望局の電波を受信し、ＲＦ（Radio Frequency）信号としてＲＦ増幅部３に送る。ＲＦ増幅部３は、入力されるＲＦ信号を所定量増幅した後、混合器４に信号を送る。局部発振器５は、ラジオチューナー制御マイコン１１からの制御信号に従って、局部発振信号を混合器４に送る。この局部発振信号は、混合器４においてＲＦ信号との混合によりＩＦ信号が生成されるような周波数関係を有する信号である。混合器４は、ＲＦ増幅部３から入力されるＲＦ信号と、局部発振器５から入力される局部発振信号を混合してＩＦ信号を取り出し、ＩＦ信号をＩＦ増幅部６に送る。ＩＦ増幅部６は、所望の信号強度となるように入力されＩＦ信号を増幅した後、信号をＩＦ帯域制御部７に送る。
【０００３】
ＩＦ帯域制御部７は、５０ｋＨｚ〜２００ｋＨｚのＩＦ帯域幅を１５段階に分けたＩＦ帯域幅値を用いて、各種のＩＦ帯域制御信号に基づいてＩＦ帯域幅を決定し、所望の受信信号の選択度を高めた後に、信号を復調部８に送る。復調部８は、ＦＭ変調が掛けられているＩＦ信号をオーディオ信号に復調し、オーディオ出力として送出する。高域ノイズ検出部９は、隣接妨害等によって復調信号に現れる受信信号の高域のノイズ成分を検出し、そのノイズ成分の量をＩＦ帯域制御信号としてＩＦ帯域制御部７に送る。また、信号強度検出部１０は、受信信号の信号強度を検出し、その信号強度をＩＦ帯域制御信号としてＩＦ帯域制御部７に送る。
【０００４】
また、このようなＦＭラジオチューナーとして特許文献１に示すようなものがある。従来のＦＭラジオチューナーは、希望局の電波を受信し、所望の復調信号に現れる隣接妨害による信号品質の低下を検出してからＩＦ帯域の制御を行っている。
【先行技術文献】
【特許文献】
【０００５】
【特許文献１】特開２００３−１４３０２５号公報
【発明の概要】
【発明が解決しようとする課題】
【０００６】
しかし、上記のＦＭラジオチューナーでは、所望の復調信号に現れる隣接妨害による高域ノイズ成分を検出してＩＦ帯域を制御しているため、隣接妨害を受けてから高域ノイズ成分を減少させる受動的なＩＦ帯域制御は可能であるが、あらかじめ隣接妨害を受けないように適切にＩＦ帯域を制御する能動的なＩＦ帯域制御を行うことはできない。また、高域ノイズ成分を検出しても、隣接局の電波による干渉の度合いが不明であるため、必要以上にＩＦ帯域を狭くして希望局の放送の音質を低下させてしまう可能性がある。また、マルチパスによって高域ノイズ成分が発生している場合も隣接妨害としてＩＦ帯域を制御するため、マルチパス発生時に誤動作してＩＦ帯域を狭くしてしまう可能性がある。
【０００７】
そこで、本発明は上記に鑑みてなされたものである。本発明では、隣接妨害検出用のＦＭラジオチューナーによって隣接妨害となる隣接局の電波を受信し、その受信信号における変調度と信号強度を検出することによって、受信信号による所望の復調信号への隣接妨害を予測し、希望局受信側のＦＭラジオチューナーのＩＦ帯域制御を行う、ＦＭラジオチューナーのＩＦ帯域制御システムを提供することを目的とする。
【課題を解決するための手段】
【０００８】
本発明に係る車載用のＦＭラジオチューナーのＩＦ帯域制御システムによれば、ＦＭ放送の電波を受信するアンテナと、アンテナから希望局の放送信号を受信する希望局受信用ラジオチューナーと、アンテナから、希望局の放送信号の周波数と所定の周波数ステップだけ異なる周波数を使用する隣接局の放送信号を受信する、少なくとも１つの隣接妨害検出用ラジオチューナーとを備え、希望局受信用ラジオチューナーは、希望局の放送信号を受信するＩＦ帯域を制御するＩＦ帯域制御部を有し、少なくとも１つの隣接妨害検出用ラジオチューナーは、隣接局の放送信号の変調度を検出する隣接局変調度検出部と、隣接局の放送信号の信号強度を検出する隣接局信号強度検出部とを有し、ＩＦ帯域制御部は、隣接局の放送信号の変調度および隣接局の放送信号の信号強度に基づいて隣接局の放送信号による妨害を受けずに希望局の放送信号を受信することが可能なＩＦ帯域を設定することによって前記ＩＦ帯域を制御する。このため、事前に隣接妨害の影響が出ないようにＩＦ帯域を制御した上で希望局の放送のオーディオ信号を出力することができる。
【０００９】
好ましくは、希望局受信用ラジオチューナーは、希望局の放送信号の変調度を検出する希望局変調度検出部と、希望局の放送信号の信号強度を検出する希望局信号強度検出部とを有し、ＩＦ帯域制御部は、希望局の放送信号の変調度が隣接局の放送信号の変調度と干渉するＩＦ帯域において、希望局の放送信号の信号強度が隣接局の放送信号の信号強度以上になるまでＩＦ帯域を狭める。また、ＩＦ帯域制御部は、希望局の放送信号の変調度が隣接局の放送信号の変調度と干渉するＩＦ帯域において、隣接局の放送信号の信号強度が所定の信号強度以下である場合は、希望局の放送信号の変調度の全範囲をカバーするＩＦ帯域を設定する。このため、より高精度なＩＦ帯域の制御を行いながら希望局の放送を受信することができる。
【００１０】
さらに好ましくは、希望局受信用ラジオチューナーは、希望局の放送信号の高域ノイズ成分を検出する高域ノイズ検出部を有し、ＩＦ帯域制御部は、希望局の放送信号の高域ノイズ成分に基づいてＩＦ帯域を制御する。そして、ＩＦ帯域制御システムは、前記希望局受信用ラジオチューナーおよび前記少なくとも１つの隣接妨害検出用ラジオチューナーの受信周波数を制御するラジオチューナー制御部をさらに備え、ラジオチューナー制御部は、高域ノイズ成分の所定の閾値を超えるか否かに応じて、少なくとも１つの隣接妨害検出用ラジオチューナーの電源のオンとオフを制御する。したがって、希望局の放送信号を受信する際にＩＦ帯域の制御が必要な場合にのみ隣接妨害用ラジオチューナーを動作させることができる。また、所定の周波数ステップは１００ｋＨｚステップである。したがって、放送局のチャネル周波数ごとに切り替えて放送信号を受信することができる。
【発明の効果】
【００１１】
本発明の隣接妨害検出用ラジオチューナーを備えたＦＭラジオチューナーのＩＦ帯域制御システムによれば、隣接妨害検出用ラジオチューナーにより妨害となる隣接局の電波を受信し、その変調度と信号強度を検出して、変調度と信号強度に基づいて希望局受信側のＦＭラジオチューナーのＩＦ帯域の最適制御を行うことにより、マルチパス発生時のＩＦ帯域制御の誤動作を防ぎ、隣接妨害を受けにくいＦＭラジオチューナーを提供することができる。
【図面の簡単な説明】
【００１２】
【図１】図１は、従来のＦＭラジオチューナーの構成を示すブロック図である。
【図２】図２は、本発明の第１の実施形態におけるＦＭラジオチューナーのＩＦ帯域制御システムの構成を示すブロック図である。
【図３】図３（ａ）〜（ｃ）は、本発明の第１の実施形態におけるＦＭラジオチューナーのＩＦ帯域制御システムにおけるＩＦ帯域の制御の概略を示すグラフである。
【図４】図４は、本発明の第２の実施形態におけるＦＭラジオチューナーのＩＦ帯域制御システムの構成を示すブロック図である。
【図５】図５（ａ）および（ｂ）は、本発明の第２の実施形態におけるＦＭラジオチューナーのＩＦ帯域制御システムにおけるＩＦ帯域の制御の概略を示すグラフである。
【発明を実施するための形態】
【００１３】
以下、図面を参照して、本発明の第１の実施形態におけるＦＭラジオチューナーのＩＦ帯域制御システムについて説明する。なお、複数の図にまたがって同じ部材を示す場合は同じ番号を付すこととする。図２に、本実施形態におけるＦＭラジオチューナーのＩＦ帯域制御システムを示す。アンテナ１２により受信したＦＭラジオ放送のＲＦ信号は、希望局受信用ラジオチューナー１００と隣接妨害検出用ラジオチューナー２００に送られる。
【００１４】
隣接妨害検出用ラジオチューナー２００は、希望局の放送信号の周波数と所定の周波数ステップ（例えば、５０ｋＨｚステップ、１００ｋＨｚステップ等）だけ異なる周波数を使用する隣接局の放送信号を受信するラジオチューナーである。隣接局の放送信号は、希望局の放送信号を受信する際に高域ノイズ成分となる。隣接妨害検出用ラジオチューナー２００に送られたＲＦ信号は、ＲＦ増幅部２３に送られて増幅された後、混合器２４に出力される。混合器２４では、ＲＦ増幅部２３から出力される信号と局部発振器２５から出力される信号とがヘテロダイン変換により混合される。ユーザは、局部発振器２５の発振周波数を調整することにより選局を行う。局部発振器２５は、ラジオチューナー制御マイコン２２からの制御信号に基づいて、所望の放送局の受信周波数との差の絶対値が所定の中間周波数になるような周波数を発生する。混合器２４から出力されるＩＦ信号は、ＩＦ増幅部２６に送られる。ＩＦ増幅部２６は、入力信号の強弱によって増幅率を変化させて復調部２７への入力信号レベルを一定に保つ。ＩＦ増幅部２６により復調可能なレベルまで増幅されたＩＦ信号は、復調部２７において復調処理が施され、所望の放送のオーディオ信号が生成される。
【００１５】
隣接局変調度検出部２８は、復調部２７で復調されたオーディオ信号の変調度を検出する。変調度が大きくなれば、オーディオ信号の音声レベルも大きくなる。変調度から、受信波の占有周波数帯域幅がわかる。また、隣接局信号強度検出部２９は、復調部２７で復調されたオーディオ信号の信号強度を検出する。隣接局変調度検出部２８と隣接局信号強度検出部２９で検出された変調度と信号強度は、それぞれ希望局受信用ラジオチューナー１００のＩＦ帯域制御部１７に送られる。
【００１６】
次に、希望局受信用ラジオチューナー１００における信号処理について説明する。アンテナ１２から送られてくるＲＦ信号は、ＲＦ増幅部１３に送られて増幅された後、混合器１４に出力される。混合器１４では、ＲＦ増幅部１３から出力される信号と局部発振器１５から出力される信号とがヘテロダイン変換により混合される。ユーザは、局部発振器１５の発振周波数を調整することにより選局を行う。局部発振器１５は、ラジオチューナー制御マイコン２２からの制御信号に基づいて、所望の放送局の受信周波数との差の絶対値が所定の中間周波数になるような周波数を発生する。混合器１４から出力されるＩＦ信号は、ＩＦ増幅部１６に送られる。ＩＦ増幅部１６は、入力信号の強弱によって増幅率を変化させてＩＦ帯域制御部１７への入力信号レベルを一定に保つ。ＩＦ増幅部１６により復調可能なレベルまで増幅されたＩＦ信号は、ＩＦ帯域制御部１７に送られる。
【００１７】
復調部１８は、ＩＦ帯域制御部１７から送られてくるＩＦ信号から希望局の放送のオーディオ信号を生成し、オーディオ出力として送出する。復調部１８には、生成されたオーディオ信号の信号強度を検出する希望局信号強度検出部１９、変調度を検出する希望局変調度検出部２０、高域ノイズ成分を検出する高域ノイズ検出部２１が設けられている。検出された信号強度、変調度、高域ノイズ成分の情報は、それぞれＩＦ帯域制御部１７に送られる。
【００１８】
ＩＦ帯域制御部１７では、隣接妨害検出用ラジオチューナー２００の隣接局変調度検出部２８と隣接局信号強度検出部２９から送られる、隣接妨害を発生させている電波の変調度と信号強度に基づいて、希望局の放送信号を受信するためのＩＦ帯域を調整する。例えば、現在のＩＦ帯域内において隣接妨害を発生させている電波の信号強度が所定の閾値を超えた場合に、ＩＦ帯域を狭めて隣接妨害の信号強度を閾値以下に抑える。なお、現在のＩＦ帯域において隣接局の電波が混信している場合であっても、信号強度が所定の閾値以下であれば、希望局からの放送の音質を低下させないために現在のＩＦ帯域を維持する。
【００１９】
ＩＦ帯域制御部１７には高域ノイズ成分の情報も送られるため、上記のＩＦ帯域制御に加えて、高域ノイズが大きく希望局の電波の信号強度が小さい場合には、ＩＦ帯域を調整して所望の良好な受信状態を達成することができる。高域ノイズ検出部２１から出力される高域ノイズ成分の情報はラジオチューナー制御マイコン２２にも出力される。上記の説明では、隣接妨害検出用ラジオチューナー２００は常時所定の周波数ステップにより隣接局の電波の検出動作を行っているが、既定では隣接妨害検出用ラジオチューナー２００の電源をオフにしておき、高域ノイズ成分が所定の閾値を超えたか否かを、隣接妨害検出用ラジオチューナー２００の電源をオンにするためのトリガ条件とすることもできる。
【００２０】
ここで、本実施形態におけるＦＭラジオチューナーのＩＦ帯域制御システムのＩＦ帯域制御時の動作フローについて説明する。まず、希望局受信用ラジオチューナー１００により希望局からの電波を受信して所望の放送のオーディオ信号を出力する。次に、隣接妨害検出用ラジオチューナー２００において、希望局の周波数に対して±１００ｋＨｚ、±２００ｋＨｚの周波数を使用する隣接局の電波を受信し、信号強度および変調度を検出する。検出された各隣接局の信号強度のうち、最も信号強度の大きい放送局を隣接妨害を起こす局とみなし、その電波の信号強度および変調度の情報を希望局受信用ラジオチューナー１００に送る。
【００２１】
希望局受信用ラジオチューナー１００は、隣接妨害検出用ラジオチューナー２００からの隣接局の変調度および信号強度の情報と、希望局受信用ラジオチューナー１００において生成される信号強度、変調度、高域ノイズ成分の情報とから、隣接妨害を受けずに希望局の放送を良好に受信することができるＩＦ帯域を判定し、希望局受信用ラジオチューナー１００のＩＦ帯域制御を行う。隣接局が別の放送局に変わったり、現在の隣接局の変調度または信号強度が変わる度に、このように適切なＩＦ帯域を判定してＩＦ帯域制御を行う。
【００２２】
次に、図３を参照しながら、ＩＦ帯域制御部１７におけるＩＦ帯域の調整について説明する。図３に示すように、現在周波数が８０．０ＭＨｚである放送局を希望局として放送を受信している場合を考える。なお、各放送局が使用する周波数は５０ｋＨｚステップや１００ｋＨｚステップ等所定の周波数ステップだけ離れている。周波数ステップは国や地域によって異なっている。図３では、周波数ステップを１００ｋＨｚステップとする。
【００２３】
図３（ａ）は、隣接妨害を発生させる放送局が存在しない場合を示す。なお、ＩＦ帯域制御部１７における既定のＩＦ帯域を±２００ｋＨｚとする。この場合、隣接妨害検出用ラジオチューナー２００では隣接妨害となる電波を受信しないため、隣接局変調度検出部２８および隣接局信号強度検出部２９からＩＦ帯域制御部１７に変調度および信号強度の情報は提供されない。したがって、ＩＦ帯域制御部１７は、希望局信号強度検出部１９、希望局変調度検出部２０、高域ノイズ検出部２１から出力される信号強度、変調度、高域ノイズの情報に基づいてＩＦ帯域を調整する。
【００２４】
図３（ｂ）は、周波数が８０．２ＭＨｚである隣接局が存在し、その信号強度が希望局の電波の信号強度に比べて小さい場合を示す。図３（ａ）に示す既定のＩＦ帯域では隣接局の電波の影響が強いため、ＩＦ帯域を狭くする制御を実行する。図３（ｂ）に示すように、周波数８０．１ＭＨｚと８０．２ＭＨｚとの間で、希望局の電波と隣接局の電波とが干渉し合っているが、干渉部分における隣接局の電波の信号強度は、希望局の電波の信号強度のピーク値（グラフの平坦部における値）に比べて小さい。したがって、干渉は弱いとして、干渉が完全になくなるまでＩＦ帯域を狭くせず、干渉は存在しても希望局の変調度全体をカバーできる範囲までＩＦ帯域を狭くする。
【００２５】
次に、図３（ｃ）は、周波数が８０．２ＭＨｚである隣接局が存在し、その信号強度が図３（ｂ）に示す場合よりも大きくなった場合を示す。図３（ｂ）の場合と同様に、隣接局の電波の影響を小さくして希望局の電波を良好に受信することができる範囲までＩＦ帯域を狭くする。図３（ｃ）の場合は、希望局の変調度全体をカバーしようとすると、８０．１ＭＨｚを超える範囲で隣接局の電波の干渉が強くなってしまう。そこで、希望局の電波の信号強度と隣接局の電波の信号強度とが等しくなる位置（図３（ｃ）で示される位置）までＩＦ帯域を狭くする。その位置より内側では、隣接局の電波の信号強度が希望局の電波の信号強度より小さく干渉も弱い。なお、この位置よりも内側の位置までＩＦ帯域を狭くしてさらに干渉を弱くして受信するように設定してもよい。
【００２６】
以上のように、隣接局の電波による干渉の度合いに応じて希望局の電波を受信するＩＦ帯域を柔軟に制御することにより、希望局の放送の音質をできるかぎり低下させることなく電波を良好に受信することができる。
【００２７】
次に第２の実施形態として、２つの異なる隣接局を同時に検出するＦＭラジオチューナーのＩＦ帯域制御システムについて説明する。図４に、本実施形態におけるＦＭラジオチューナーのＩＦ帯域制御システムのブロック図を示す。本実施形態では、第１の実施形態におけるＩＦ帯域制御システムに、別の隣接妨害検出用ラジオチューナー３００を追加している。ここで、希望局受信用ラジオチューナー１００、隣接妨害検出用ラジオチューナー２００の各ブロックの処理は、図２に示す第１の実施形態におけるものと同一であるため、詳細な説明は省略する。また、隣接妨害検出用ラジオチューナー３００の各ブロックで行う処理についても、検出対象の隣接局の周波数が７９．８ＭＨｚである以外は、隣接妨害検出用ラジオチューナー２００の対応する各ブロックと同一である。なお、本実施形態における希望局の周波数は、第１の実施形態と同じ８０．０ＭＨｚとする。
【００２８】
ユーザは、局部発振器２５，３５の発振周波数を調整することにより選局を行う。本実施形態では、局部発振器２５，３５の発振周波数がそれぞれ８０．２ＭＨｚと７９．８ＭＨｚになるように調整する。ここで図５を参照しながら、本実施形態におけるＩＦ帯域制御部１７におけるＩＦ帯域の調整について説明する。図５（ａ）は、隣接妨害を発生させる放送局が存在しない場合を示し、図３（ａ）と同じであるため詳細な説明は省略する。この場合、ＩＦ帯域制御部１７は、希望局信号強度検出部１９、希望局変調度検出部２０、高域ノイズ検出部２１から出力される信号強度、変調度、高域ノイズの情報に基づいてＩＦ帯域を調整する。
【００２９】
図５（ｂ）には、周波数が７９．８ＭＨｚと８０．２ＭＨｚである隣接局が存在し、７９．８ＭＨｚの隣接局の信号強度が大きく、８０．２ＭＨｚの隣接局の信号強度が小さい場合を示す。希望局と８０．２ＭＨｚの隣接局との干渉を考えると、図３（ｂ）の場合と同様の理由から、干渉は弱いとして、干渉が完全になくなるまでＩＦ帯域を狭くせず、干渉は存在しても希望局の変調度全体をカバーできる範囲までＩＦ帯域を狭くすることができる。次に、希望局と７９．８ＭＨｚの隣接局との干渉を考えると、希望局の変調度全体をカバーしようとすると、７９．８ＭＨｚから７９．９ＭＨｚの近傍に至る範囲で隣接局の電波の干渉が強くなってしまう。そこで、希望局の電波の信号強度と隣接局の電波の信号強度とが等しくなる位置までＩＦ帯域を狭くする。なお、ＩＦ帯域をさらに狭めて干渉を弱くして受信するように設定してもよい。このように７９．８ＭＨｚと８０．２ＭＨｚの隣接局の干渉を同時に検出して最も大きい干渉に合わせてＩＦ帯域を制御することにより、いずれの隣接局とも干渉を回避しつつ希望局の電波を良好に受信することができる。
【００３０】
以上が本発明の実施形態に関する説明である。上記の説明では、隣接妨害検出用ラジオチューナーを１つまたは２つ設けた構成としているが、３つ以上設けて異なる隣接局を同時に検出することもできる。また、局部発振器の発振周波数の周波数ステップは、使用環境に応じて任意に設定して隣接局を検出することができる。さらに、放送局の電波の変調度の範囲をピーク値から０に至るまでの範囲としているが、これに限らず変調度全体の９０％の範囲等、任意の範囲を指定して変調度の範囲としてもよい。
【符号の説明】
【００３１】
１７    ＩＦ帯域制御部
１９    希望局信号強度検出部
２０    希望局変調度検出部
２１    高域ノイズ検出部
２２    ラジオチューナー制御マイコン
２８，３８    隣接局変調度検出部
２９，３９    隣接局信号強度検出部
１００    希望局受信用ラジオチューナー
２００，３００    隣接妨害検出用ラジオチューナー
【図１】
2011114527.tif 000003
【図２】
2011114527.tif 000004
【図３】
2011114527.tif 000005
【図４】
2011114527.tif 000006
【図５】
2011114527.tif 000007